(57)【要約】【課題】ルア−が回転しても止着した釣針等の仕掛が絡み付いたりしないルア−を提供することである。【解決手段】金属製のルア−本体１の中に釣糸２の係止部材３の軸部３ａが固定されてルア−本体１の前端に突出した軸部３ａと止着部３ｂの間の外周に硝子製等のビ−ズ４と仕掛の止着部材５のリング状の回転受け部５ａとビ−ズ６が回転自在に嵌合されて止着部３ｂには釣糸２が連結されている。止着部３ｂはリング状に形成され、ルア−本体１内の前端側と突出側の軸部３ａと、ルア−本体１内の後端側の軸部３ａと止着部３ｃは折り返しの二重線で形成されている。仕掛の止着部材５のリング状の回転受け部５ａと一体にリング状の止着部５ｂが形成されて止着部５ｂに釣針７に固定された糸８が連結されている。【選択図】　　　　図１
2004129566.tif 000002
【特許請求の範囲】
【請求項１】
止着部と軸部を有する釣糸の係止部材の前記軸部を金属製のルア−本体の前端に取り付け、前記軸部に仕掛の止着部材を回転自在に支持したことを特徴とするルア−。
【請求項２】
仕掛の止着部材は釣糸の係止部材の止着部とルア−本体により抜け止めされていることを特徴とする請求項１記載のルア−。
【請求項３】
仕掛の止着部材に釣針を止着したことを特徴とする請求項１または２記載のルア−。
【発明の詳細な説明】
【０００１】
【発明の属する技術分野】
本発明は、釣糸止着部とルア−本体の間に仕掛の止着部材を設けたメタルジグからなるルア−の改良に関する。
【０００２】
【従来の技術】
【特許文献１】特開２００１−１２０１１３号公報
【特許文献２】特開２００１−１５７５３１号公報
【０００３】
【特許文献１】には、釣針（フロントフック）の取付部にリング状の止め部を設けてこの止め部を直接メタルジグの前側に固定して突出した釣糸止着部に取り付けたルア−用フロントフックと該フックを利用したルア−が示されている。
【特許文献２】には、メタルジグの前側に貫通孔が穿設されて釣針に固定された釣糸が貫通孔に挿通固定されたルア−が示されている。
【０００４】
メタルジグ等のルア−を使用して釣りを行う時、激しくシャクるとルア−が水流で回転することになる。
特許文献１のように釣針の取付部にリング状の止め部を設けてこの止め部を直接メタルジグの前側に固定して突出した釣糸止着部に取り付けたルア−では、シャクリでルア−が回転すると釣針も回転するので釣針がメタルジグや釣糸に絡みついて魚の掛かりが悪くなる。
特許文献２のようにメタルジグの前側に貫通孔が穿設されて釣針に固定された釣糸が貫通孔に挿通固定されたルア−では、シャクリでルア−が回転すると釣針に固定された釣糸と釣針がメタルジグに絡みついて魚の掛かりが悪くなる。
【０００５】
【発明が解決しようとする課題】
解決しようとする課題は、
激しくシャクるとルア−が水流で回転することになり、この時特許文献１のルア−ではルア−が回転すると釣針も回転することになり、特許文献２のルア−では釣針に固定された釣糸と釣針がメタルジグに絡みついて、いずれも魚の掛かりが悪くなることである。
【０００６】
本発明の目的は前記欠点に鑑み、ルア−が回転しても止着した釣針等の仕掛が絡み付いたりしないルア−を提供することである。
【０００７】
【課題を解決するための手段】
上記課題を解決するために、
請求項１に係わる本発明は、止着部と軸部を有する釣糸の係止部材の前記軸部を金属製のルア−本体の前端に取り付け、前記軸部に仕掛の止着部材を回転自在に支持したことを要旨とするものである。
請求項２に係わる本発明は、仕掛の止着部材は釣糸の係止部材の止着部とルア−本体により抜け止めされていることを要旨とするものである。
請求項３に係わる本発明は、仕掛の止着部材に釣針を止着したことを要旨とするものである。
【０００８】
【発明の実施の形態】
本発明により、激しくシャクることがあってルア−本体１が水流で回転することがあっても、糸８と釣針７がルア−本体１に絡みつくことがなく、漁果を上げることが出来る。
【０００９】
【実施例】
以下、図示の実施例によって本発明を説明すると、図１、図２は第１実施例で、図１はルア−の側面図、図２は仕掛の止着部材の斜視図である。
【００１０】
ルア−はメタルジグと呼ばれるもので、金属製のルア−本体１の中に釣糸２の係止部材３の軸部３ａが固定されてルア−本体１の前端に突出した軸部３ａと止着部３ｂの間の外周に硝子製等のビ−ズ４と仕掛の止着部材５のリング状の回転受け部５ａとビ−ズ６が回転自在に嵌合されている。
軸部３ａの後端はルア−本体１から突出して止着部３ｃが形成されている。
止着部３ｂ、３ｃは何れもリング状に形成され、ルア−本体１内の前端側と突出側の軸部３ａと、ルア−本体１内の後端側の軸部３ａと止着部３ｃは折り返しの二重線で形成されている。
止着部３ｂには釣糸２が連結されている。
仕掛の止着部材５のリング状の回転受け部５ａと一体にリング状の止着部５ｂが形成されて止着部５ｂに釣針７に固定された糸８が連結されている。
金属製のルア−本体１は鉛、ステンレス、タングステン等の金属で形成されて鉛以外の金属の場合は薄板の張り合わせで形成されている。
【００１１】
ルア−が使用される時、釣針７に固定された糸８が連結された仕掛の止着部材５は回転受け部５ａが釣糸２の係止部材３の軸部３ａの外周に回転自在に嵌合されているので、激しくシャクることがあってルア−本体１が水流で回転することがあっても、釣針７はルア−本体１と同様には回転されず、全く回転しないかルア−本体１よりゆっくり回転するだけであるため糸８と釣針７がルア−本体１に絡みつくことがない。
【００１２】
前記のようにルア−が構成されると、ルア−本体１が水流で回転することがあっても、釣針７は回転されず、糸８と釣針７がルア−本体１に絡みつくことがないため、釣針７が魚の食い付きと共に確実に魚に掛かるため、漁果を上げることが出来る。
【００１３】
図３、図４は第２実施例で、図３はルア−の側面図、図４は仕掛の止着部材の斜視図である。
【００１４】
第２実施例では、金属製のルア−本体１の中に釣糸２の係止部材３′の軸部３ｄの下端の欠円状の固定部３ｅが固定されてルア−本体１の前端に突出した軸部３ｄと止着部３ｂの間の外周に硝子製等のビ−ズ４と仕掛の止着部材５′のリング状の回転受け部５ｃとビ−ズ６が回転自在に嵌合されている。
係止部材３′の止着部３ｂと軸部３ｄと固定部３ｅは折り返しの二重線で形成されている。
回転受け部５ｃは釣針７が連結された糸８の止着部も兼ねている。
ルア−本体１の後端側内の欠円状の固定部３ｆと止着部３ｇは折り返しの二重線で形成されている。
このようにルア−においても、釣針７はルア−本体１のように回転しないため、糸８と釣針７がルア−本体１に絡みつくことがない。
【００１５】
【発明の効果】
本発明は、以上説明したような形態で実施され、以下に記載されるような効果を奏する。
【００１６】
激しくシャクることがあってルア−本体が水流で回転することがあっても、仕掛の止着部材に止着した仕掛がルア−本体に絡みつくことがなく、漁果を上げることが出来る。
【図面の簡単な説明】
【図１】第１実施例で、ルア−の側面図である。
【図２】同仕掛の止着部材の斜視図である。
【図３】第２実施例で、ルア−の側面図である。
【図４】同仕掛の止着部材の斜視図である。
【符号の説明】
１　ルア−本体
２　釣糸
３　係止部材
３ａ、３ｄ　軸部
３ｂ　止着部
５　仕掛の止着部材
７　釣針
【図１】
2004129566.tif 000003
【図２】
2004129566.tif 000004
【図３】
2004129566.tif 000005
【図４】
2004129566.tif 000006